(57)【要約】【課題】使用者が引出しを引出し方向に徐々に弱い力で引出すことができ、また、引出しを確実に最も引き込んだ位置まで引き込み続けることができるキャビネットを提供する。【解決手段】本発明のキャビネット（２）は、キャビネット本体（４）と、引出し（６）とを備えたキャビネットであって、引出し（６）を前後方向移動可能に案内するガイド機構（８）と、引出し（６）の収納方向の後方位置に取り付けられた第１磁性体（１０）、及び、引き出し収納時のキャビネット本体（４）の引き出し（６）の第１磁性体（１０）に対向する位置に取り付けられた第２磁性体（２０）であって、これらの第１磁性体（１０）及び第２磁性体（２０）の少なくとも何れか一方が磁石である第１磁性体（１０）及び第２磁性体（２０）と、を有し、  第１磁性体（１０）及び第２磁性体（２０）は、引出し（６）の収納方向に向かって磁力が強くなるように配置されていることを特徴とする。【選択図】図２
2011062416.tif 000002
【特許請求の範囲】
【請求項１】
キャビネット本体と、このキャビネット本体内に前後方向移動可能に収納された引き出しとを備えたキャビネットであって、
上記キャビネット本体と上記引き出しとの間に上記引き出しを前後方向移動可能に案内するガイド機構と、
上記引き出しの収納方向の後方位置に取り付けられた第１磁性体、及び、引き出し収納時の上記キャビネット本体の上記引き出しの第１磁性体に対向する位置に取り付けられた第２磁性体であって、これらの第１磁性体及び第２磁性体の少なくとも何れか一方が磁石である上記第１磁性体及び第２磁性体と、を有し、
上記第１磁性体及び第２磁性体は、引き出しの収納方向に向かって磁力が強くなるように配置されていることを特徴とするキャビネット。
【請求項２】
上記キャビネット本体の第２磁性体は磁石であり、引き出し収納時に、上記キャビネット本体の磁石はその後端が上記引き出しに設けられた第１磁性体の後端よりも後側に位置するように配置されている請求項１記載のキャビネット。
【請求項３】
上記キャビネット本体の第２磁性体と上記引き出しの第１磁性体とは、引出し方向に向かって両者の離間距離が大きくなるように配置されている請求項１又は請求項２に記載のキャビネット。
【請求項４】
上記キャビネット本体の第２磁性体は引き出し方向に向かって下方に傾斜して配置されている請求項３に記載のキャビネット。
【請求項５】
更に、上記引き出しを収納するとき、収納位置において、引き出しの動きを緩衝する緩衝手段を有する請求項１乃至４の何れか１項に記載のキャビネット。
【発明の詳細な説明】
【技術分野】
【０００１】
本発明は、キャビネットに係り、特に、キャビネット本体と、このキャビネット本体内に前後方向移動可能に収納された引き出しとを備えたキャビネットに関する。
【背景技術】
【０００２】
従来のシステムキッチン等に利用されるキャビネットにおいては、レール等の案内部材が付いており、引出しを滑らかに摺動できるようになっているが、調理器具等を収納すると比較的重容量になる。そのため、引出しを押し込んだ際にその勢いで引出しを収納しているキャビネットに衝突してしまうので、その衝突を防止するために、引出しが収納される途中からダンパーが働きゆっくりと閉まる構造になっているものがある。このゆっくりとした収納方向動作は、システムキッチンの高級感をかもし出すためにも、重要な機能となっており、高級グレードの商品に適用されている。
【０００３】
このダンパーとして、引き出しの押込み操作時に、スプリングの弾性を利用するものがあるが、引き出しを押し込んだ後、再び、引き出す際には、このスプリングを初期状態（待機位置）にまで復帰させるために、スプリングの弾性力に抗する力が必要となる。そのため、使用者は、スプリングが初期状態に復帰する位置まで、必要以上に重さを感じるので好ましくない。
【０００４】
また、例えば、特許文献１に記載されているように、引出しとキャビネット本体のそれぞれの対向する位置に磁石を配置し、これらの磁石の磁力により、引き出しを収納時にロックするようにしたものも提案されている。
【先行技術文献】
【特許文献】
【０００５】
【特許文献１】特開２００８−２３２００号公報
【発明の概要】
【発明が解決しようとする課題】
【０００６】
特許文献１のものは、引き出しとキャビネット本体に配置された磁石の磁力により、引出しを引出す際は磁石が外れるまで磁石に抗するほぼ同じ力で引出し続ける必要があるので、同様な不必要な重みを感じるという問題があった。また、磁石が対向する位置から外れると使用者が引出しを引く大きな力は急に必要とされなくなり、使用者に引出しを引く力の急激な変化による違和感を与えていた。
【０００７】
本発明は、上述した従来技術の問題点を解決するためになされたものであり、引出しを引き出すとき及び押し込むときに、不要な重みを感じることがなく、スムーズに操作できるキャビネットを提供することを目的としている。
【課題を解決するための手段】
【０００８】
上記の目的を達成するために、本発明は、キャビネット本体と、このキャビネット本体内に前後方向移動可能に収納された引き出しとを備えたキャビネットであって、キャビネット本体と引き出しとの間に引き出しを前後方向移動可能に案内するガイド機構と、引き出しの収納方向の後方位置に取り付けられた第１磁性体、及び、引き出し収納時のキャビネット本体の引き出しの第１磁性体に対向する位置に取り付けられた第２磁性体であって、これらの第１磁性体及び第２磁性体の少なくとも何れか一方が磁石である第１磁性体及び第２磁性体と、を有し、第１磁性体及び第２磁性体は、引き出しの収納方向に向かって磁力が強くなるように配置されていることを特徴としている。
このように構成された本発明のキャビネットにおいては、引き出しの収納方向の後方位置に第１磁性体を取り付け、引き出し収納時のキャビネット本体の引き出しの第１磁性体に対向する位置に第２磁性体を取り付け、これらの第１磁性体及び第２磁性体の少なくとも何れか一方が磁石であるので、引き出しの収納位置において、第１磁性体及び第２磁性体とが磁力に引き合うため、この磁力による吸着力により、引き出しがロックされる。さらに、本発明においては、第１磁性体及び第２磁性体は、引き出しの収納方向に向かって磁力が強くなるように配置されているので、使用者が引き出しを押し込んで収納するときは、引き出しが磁力により徐々に引き込まれ、一方、引き出しを引き出すとき、徐々に磁力が小さくなるので、引き出しを引き出すとき、不要な重さを感じることなく、スムーズに、引き出しを操作することができる。
【０００９】
本発明において、好ましくは、キャビネット本体の第２磁性体は磁石であり、引き出し収納時に、キャビネット本体の磁石はその後端が引き出しに設けられた第１磁性体の後端よりも後側に位置するように配置されている。
このように構成された本発明のキャビネットにおいては、引出し収納時に、キャビネット本体の第２磁性体は、引出しに設けられた第１磁性体の後端よりも後側に位置するように配置されているので、引出しに設けられた第１磁性体の後端よりも後側から作用する磁力により、引出しを確実に収納方向に引き込み続けることができる。
【００１０】
本発明は、好ましくは、更にキャビネット本体の第２磁性体と引出しの第１磁性体とは、引出し方向に向かって両者の離間距離が大きくなるように配置されている。
このように構成された本発明のキャビネットにおいては、第１及び第２の磁性体の離間距離が大きくなるように配置されているので、簡易な構造により、磁力を引き出しの収納方向に向かって徐々に強くすることができる。
【００１１】
本発明は、好ましくは、更にキャビネット本体の第２磁性体は引出し方向に向かって下方に傾斜して配置されている。
このように構成された本発明のキャビネットにおいては、キャビネット本体の磁性体が引出し方向に向かって下方に傾斜して配置されるので、簡易な構造により、第１磁性体と第２磁性体の離間距離を大きくすることができ、磁力を引き出しの収納方向に向かって徐々に強くすることができる。
【００１２】
本発明は、好ましくは、更に、引出しを収納するとき、収納位置において、引出しの動きを緩衝する緩衝手段を有することを特徴とする。
このように構成された本発明のキャビネットにおいては、引出しは、収納位置に到達する前に、緩衝手段によりその動きが緩衝されるので、ゆっくりとした動きになり、引出しがキャビネットに衝突するのを防止することができる。
【発明の効果】
【００１３】
本発明のキャビネットによれば、引出しを引き出すとき及び押し込むときに、不要な重みを感じることがなく、スムーズに操作できる。
【図面の簡単な説明】
【００１４】
【図１】本発明の実施形態によるキャビネットが利用されたシステムキッチンを示す斜視図である。
【図２】本発明の実施形態によるキャビネットの引出しを引き出している途中の状態を示す斜視図である。
【図３】図２に示す引出しが収納位置に引き込まれた状態のキャビネットを示す側面図である。
【図４】図２に示す引出しが最大引出し位置に引き出された状態のキャビネットを示す側面図である。
【図５】本発明の実施形態によるキャビネットのダンパーを示す概念図である。
【図６】本発明の実施形態によるキャビネットを引出しの背面から見た部分拡大背面図である。
【図７】本発明の実施形態によるキャビネットのキャビネット本体の第２磁性体を支持する支持台を示す斜視図である。
【図８】本発明の実施形態によるキャビネットの引出しが最終引き込み位置にあるときの第１磁性体と第２磁性体の位置関係を示す拡大部分断面図である。
【図９】本発明の実施形態によるキャビネットの引出しが最終引き込み位置にあるときの第１磁性体と第２磁性体の間に発生する磁力の大きさを示す概念的であり（図９（ａ））、引出しが引出されていく途中の位置にあるときの第１磁性体と第２磁性体の間に発生する磁力の大きさを示す概念図（図９（ｂ））、引出しがさらに引出されていく位置にあるときの第１磁性体と第２磁性体の間に発生する磁力の大きさを示す概念図（図９（ｃ））である。
【発明を実施するための形態】
【００１５】
以下、添付図面を参照して本発明の実施形態によるキャビネットについて説明する。図１は本発明の実施形態によるキャビネットが利用されたシステムキッチンを示す斜視図である。
図１に示すように、システムキッチン１に本発明の実施形態であるキャビネット２が設置されている。このキャビネット２は、用途に応じてシステムキッチン１に組み込まれて設置されてもよく、また、単独で設置されてもよい。
【００１６】
図２は本発明の実施形態によるキャビネットの引出しを引き出している途中の状態を示す斜視図である。図２に示すように、キャビネット２は、キャビネット本体４、及び、キャビネット本体４内で引出し方向及び収納方向に移動可能な引出し６を備えている。
キャビネット本体４は、詳細は後述するが、引出し６の左右両側に設けられた１対の摺動機構８、ダンパー１８、磁性体支持台２２（図６参照）及び第２磁性体２０を備えている。
【００１７】
引出し６は、正面部６a、背面部６b及び両側の側壁６cを備えている。また、引出し６は、詳細は後述するが、左右両側に設けられた１対の摺動機構８と第１磁性体１０を備えている。
【００１８】
図２乃至図４に示すように、摺動機構８は、キャビネット本体４の内壁面に固定されてほぼ水平にキャビネット本体４の前方部分から背面部に向けて延びる下レール１２と、この下レール１２にガイド部材１４を介して摺動可能に係合する上レール１６を備えている。ガイド部材１４及び上レール１６は引出し６の左右側壁外側に固定されている。引出し６をキャビネット本体４に対して引出すと、キャビネット本体４側の下レール１２に沿って、引出し６と共に上レール１６及びガイド部材１４が共に摺動する。
さらに、摺動機構８は、下レール収納方向後方に連続して又は下レール上の一部に設置されるダンパー１８と連絡する。
【００１９】
次に、図５により、ダンパーを説明する。緩衝手段であるダンパー１８は、ピストン形状のエアダンパーである。このダンパー１８は下レール１２に沿って収納方向に連続して又は下レール１２上の一部に配置されており、上レール１６の係止部１７と嵌合可能な凹部機構１９を備えている。即ち、ダンパー１８の凹部機構１９は上下方向に揺動可能であり、上レール１６の係止部１７と嵌合し且つ離脱できるようになっている。引出し６を引出す時にダンパー１８のピストン２１が一定距離伸びると、上レール１６とダンパー凹部機構１９が上レール１６の係止部１７から離脱できるようになっており、上レール１６が再び嵌合するまで凹部機構１９は離脱した状態で維持される。引出し６を押し込むときには、上レール１６の係止部１７が、再びダンパー１８の凹部機構１９に嵌合されるようになっている。なお、本実施形態では、緩衝手段として、エアダンパーを利用したが、オイルダンパーやロータリーダンパーといった他の緩衝手段を利用しても良い。
【００２０】
次に、図６乃至図８により、引き出しに取り付けた第１磁性体とキャビネット本体に取り付けた第２磁性体について説明する。図６は本発明の実施形態によるキャビネットを引出しの背面から見た部分拡大背面図であり、図７は本発明の実施形態によるキャビネットのキャビネット本体の第２磁性体を支持する支持台を示す斜視図であり、図８は本発明の実施形態によるキャビネットの引出しが収納位置にあるときの第１磁性体と第２磁性体の位置関係を示す拡大部分断面図である。
【００２１】
図６に示すように、引出し６の収納方向の後方位置底面裏側の２箇所に、それぞれ第１磁性体１０がほぼ水平に取り付けられている。
また、図６及び図７に示すように、キャビネット本体４の背面近傍には、支持台２２を介して、第２磁性体２０が取り付けられている。
本実施形態においては、第１磁性体１０及び第２磁性体２０の両方ともに、磁石である。なお、第１磁性体１０及び第２磁性体２０は、これ以外に、両者の何れか１方のみが磁石であれば良い。この場合には、他方は、鉄等の金属となる。
【００２２】
これらの引き出し６に取り付けられた第１磁性体１０と、キャビネット本体４に取り付けられた第２磁性体２０は、同じ平面視で、引き出し方向（押込み方向）に沿って、ほぼ一致する位置に配置されている。
【００２３】
図８に示すように、第１磁性体１０は、引き出し６の収納方向の後方位置に取り付けられており、一方、第２磁性体２０は、引き出し６収納時のキャビネット本体４の引き出し６の第１磁性体１０に対向する位置に取り付けられている。
【００２４】
より具体的に説明すると、第１磁性体１０は、第１磁性体１０の引き出し方向端１０a、収納方向端１０b、磁性体上面１０c、磁性体下面１０dを有し、同様に、第２磁性体２０は、引き出し方向端２０a、収納方向端２０b、磁性体上面を２０c、磁性体下面２０dを有している。
本実施形態においては、第１磁性体１０及び第２磁性体２０の両方が平板状磁石であるので、それぞれの磁石において、上下方向にＳ極とＮ極が形成されている。第１磁性体１０と第２磁性体２０の対向する面の磁極が逆極性となっているので、磁力により、両者が引き合い、この磁力の吸着力により、引き出し収納時に、引き出し６がロックされるようになっている。なお、キャビネット本体の第２磁性体２０が磁石であり、第１磁性体１０が磁石以外の磁性体であってもよい。
【００２５】
さらに、キャビネット本体４に取り付けられた第２磁性体２０は、引出し６が収納位置にあるとき、引き出し６に取り付けられえた第１磁性体１０に対して、引出し方向に向かって離間距離が大きくなるように、換言すれば、収納方向に向かって離間距離が小さくなるように、配置されている。具体的には、第２磁性体２０は、第１磁性体１０に対して、約３度乃至５度傾斜して設置される。このようにして、第１磁性体１０及び第２磁性体２０は、引き出し６の収納方向に向かって磁力が強くなるように配置されている。
【００２６】
本実施形態においては、図６に示すように、第１磁性体１０及び第２磁性体２０として、薄い平板状の磁石を使用しているので、キャビネット本体４内の引出し６との間の限られたスペースを有効に利用することができるようになっている。
【００２７】
次に、図９等を参照して、上述した本実施形態によるキャビネットの動作（作用）を説明する。図９（ａ）は本実施形態によるキャビネットの引出しが収納位置にあるときの第１磁性体と第２磁性体の間に発生する磁力の大きさを示す概念図であり、図９（ｂ）は引出しが引出されていく途中の位置にあるときの第１磁性体と第２磁性体の間に発生する磁力の大きさを示す概念図であり、図９（ｃ）は引出しがさらに引出されていく位置にあるときの第１磁性体と第２磁性体の間に発生する磁力の大きさを示す概念図である。なお、引出し６の引出し及び押し込みの動作は従来ある引出し６の動作と同じであるため、特徴のある部分を中心に説明する。
【００２８】
最初に基本原理を説明すると、第１磁性体１０と第２磁性体２０の両方が磁石の場合には、磁石の磁極間に働く力は、それぞれの磁極の強さに比例し、距離の2乗に反比例する。このため、本実施形態においては、第１磁性体１０と第２磁性体２０の離間距離が、引き出し方向に向かって大きくなっているので、使用者が引出し６を引き出す際には、引き出し６を引き出すための力は、徐々に弱くなり、一方、引き出し６を押し込む際にも、引き出し６を押し込めるために必要な力は、徐々に弱くなるので、引き出し６の引き出し及び押込み操作がスムーズになる。
【００２９】
以下、具体的に説明する。先ず、図９（ａ）に示すように、引出し６の収納時に、収納方向端１０bと第２磁性体２０の上面２０cの収納方向端２０b近傍の間において第１磁性体１０と第２磁性体２０の距離が最短となっているので、第１磁性体１０と第２磁性体２０の間の磁力は収納方向に徐々に大きくなる。さらに収納方向端２０bが収納方向端１０bよりもやや収納方向背面側に配置され収納方向端２０b側が上昇傾斜して配置されているので、引出し６の収納時においても、依然として、第２磁性体２０と第１磁性体１０は、後方から引き込む磁力による吸引力を付与している。
【００３０】
図９（ｂ）に示すように、引出し６を引き出す途中においては、第１磁性体１０と第２磁性体２０の間に発生する磁力の大きさが、両者間の距離が増大することにより、引出し方向に向かって徐々に弱くなっているので、使用者は引出し６を弱い力で引出すことができる。
【００３１】
図９（ｃ）に示すように、使用者が、引出し６をさらに引き出した場合には、第１磁性体１０と第２磁性体２０の間に発生する磁力はさらに小さくなるので、使用者は引出し６をさらに小さな力で引き出すことができる。
【００３２】
さらに、使用者が、引出し６を引き出し、第１磁性体１０の収納方向端１０bが第２磁性体２０の引出し方向端２０aよりも引き出し方向の前方に移動すると、第１磁性体１０と第２磁性体２０の間に発生する磁力はほぼゼロとなるので、使用者は、より小さな力で引き出し６を引き出すことができる。
【００３３】
次に、使用者が、引出し６を押し込むときには、第１磁性体１０と第２磁性体２０の距離が徐々に短くなるので、これらの磁石による磁力により、引き出し６は、押込み方向に引っ張られ、それにより、徐々に小さな力で、引き出し６を押し込むことが可能となる。
【００３４】
さらに、使用者が引き出し６を引き出す際及び押し込む際の両方において、上述した緩衝手段であるダンバー１８が機能する。即ち、上レール１６の係止部１７とダンパー１８の凹部機構１９とが嵌合することにより、ダンパー１８は、引出し６の引出し時に引出し６の動きと連動してピストンが引出され、引出し６の押込み時に引出し６の動きと連動してピストン２１が押し込まれるようになっている。ダンパー１８は、引出し６の動きを、エアにより収納方向に抗する力を与えて緩衝し、これにより、使用者は、引き出し６をゆっくりと操作することができる。
【符号の説明】
【００３５】
２  キャビネット
４  キャビネット本体
６  引出し
８  摺動機構
１０  第１磁性体
１２  下レール
１４  ガイド部材
１６  上レール
１７  係止部
１８  ダンパー
１９  凹部機構
２０  第２磁性体
２２  支持台
【図１】
2011062416.tif 000003
【図２】
2011062416.tif 000004
【図３】
2011062416.tif 000005
【図４】
2011062416.tif 000006
【図５】
2011062416.tif 000007
【図６】
2011062416.tif 000008
【図７】
2011062416.tif 000009
【図８】
2011062416.tif 000010
【図９】
2011062416.tif 000011